(57)【要約】【課題】適時に背面側が自動的に遮られることにより、背面側の照明や他の鑑賞者等に妨げられることなく、展示物を、落ち着いて鮮明に鑑賞しうるとともに、遮られた面をスクリーンとして利用して、そこに展示物に関する情報等を表示しうるようにした付加価値のある展示ケースを提供する。【解決手段】支持台１上に形成した展示空間９の周囲を透光性のパネル４〜７をもって囲むとともに、そのうちの背面側のパネル５を、透視可能状態と透視不可能状態とに切換可能で、常時は透視可能状態となるようにした透過率可変パネル１０をもって構成し、かつ支持台１の正面に、正面側に人が近づいたことを検知して、透過率可変パネル１０を、透視不可能状態に切換える人感センサ１４を設ける。【選択図】  図１
2010046259.tif 000002
【特許請求の範囲】
【請求項１】
支持台上に形成した展示空間の周囲を透光性のパネルをもって囲むとともに、そのうちの背面側のパネルを、透視可能状態と透視不可能状態とに切換可能で、常時は透視可能状態となるようにした透過率可変パネルをもって構成し、かつ前記支持台の正面に、正面側に人が近づいたことを検知して、前記透過率可変パネルを、透視不可能状態に切換える人感センサを設けたことを特徴とする展示ケース。
【請求項２】
支持台上に形成した展示空間の周囲を透光性のパネルをもって囲むとともに、そのうちの正面側と背面側とのパネルを、透視可能状態と透視不可能状態とに切換可能で、常時は透視可能状態となるようにした透過率可変パネルをもって構成し、前記支持台の正面と背面とに、正面側または背面側に人が近づいたことを検知して、逆側の透過率可変パネルを、透視不可能状態に切換える人感センサを設け、かつ正面側の人感センサと背面側の人感センサとのいずれか先に作動した方のセンサの作動状態を、予め定めた時間だけ継続させるとともに、その間、他方のセンサの作動を無効とするタイマを設けたことを特徴とする展示ケース。
【請求項３】
人感センサの作動を無効として、透過率可変パネルを、透視可能状態と透視不可能状態とに切り換える手動操作スイッチを設けた請求項１または２記載の展示ケース。
【請求項４】
透視不可能状態に切換られたときの透過率可変パネルを白色とし、これをスクリーンとして、適所に設けたプロジェクタにより、画像を投影するようにした請求項１〜３のいずれかに記載の展示ケース。
【請求項５】
プロジェクタを、支持台内に設けた請求項４記載の展示ケース。
【請求項６】
透過率可変パネルを、１対のガラス板間に液晶パネルを挟んで構成し、前記両ガラス板の側端を、展示空間の側面を囲む他の透光性のパネルをもって封止した請求項１〜５のいずれかに記載の展示ケース。
【発明の詳細な説明】
【技術分野】
【０００１】
本発明は、博物館や美術館、またはその他の展示会場等において使用される展示ケースに関する。
【背景技術】
【０００２】
従来の展示ケースは、支持台上に形成した展示空間の前後左右の側面を、透明ガラスにより覆って、支持台に載置した展示物を、四方から鑑賞できるようにしたものが一般的である(例えば、特許文献１または２参照)。
また、展示物収納部を囲む前後左右の透光性の側面板のうちの少なくともひとつを、印加電圧に応じて可視光の透過率が変化するようにした透過率可変板としたものもや(例えば、特許文献３参照)、液晶ディスプレイで構成したもの(例えば、特許文献４参照)もある。
【特許文献１】特許第３４５３６６９号公報
【特許文献２】特許第３３３６４８４号公報
【特許文献３】特開２００６−３４６３１０号公報
【特許文献４】特開２０００−１４６号公報
【発明の開示】
【発明が解決しようとする課題】
【０００３】
特許文献１または２に記載されているものにおいては、展示物を四方から鑑賞できるという利点がある反面、例えば展示物を正面から鑑賞する際に、背面側の照明や鑑賞者が視界に入って、鑑賞し難かったり、鑑賞意欲を減退したりするおそれがある。
【０００４】
このようなおそれをなくすため、必要に応じて、展示ケースの背面側に、幕を垂らしたり、背面板を立てたりすることがあるが、その作業は煩わしく、また、不使用時に、その幕や背面板を紛失するおそれがある。
【０００５】
特許文献３には、展示物収納部を囲む透光性の側面板のうちの少なくともひとつを、透過率可変板とすることや、展示ケースに人感センサを設けて、この人感センサにより、人が展示ケースに近づいたときのみに、透過率可変板を作動させたり、発光体や音響装置等を作動させるようにしたことが記載されているが、人感センサを展示ケースのどこに設けて、透過率可変板をどのように作動させるのかについては、全く記載されていない。
【０００６】
特許文献４には、展示物収納部を囲む透光性の側面板のうちの少なくともひとつを、液晶ディスプレイで構成し、その液晶ディスプレイに展示物に関する情報を表示したり、収納ケースの対向する側面が互いに平行とならないようにするか、または対向する液晶ディスプレイの偏向方向が９０度異なるようにすることにより、対面する利用者の顔が互いに見えにくくすること等が記載されているが、例えば正面からの鑑賞者にとって、背面側の照明装置からの光や、背面側の鑑賞者の影等が展示物に照射され、やはり鑑賞し難かったり、鑑賞意欲が減退するのは否めない。
【０００７】
本発明は、従来の技術が有する上記のような問題点に鑑み、適時に背面側が自動的に遮られることにより、背面側の照明や他の鑑賞者等に妨げられることなく、展示物を、落ち着いて鮮明に鑑賞しうるとともに、遮られた面をスクリーンとして利用して、そこに展示物に関する情報等を表示しうるようにした付加価値のある展示ケースを提供することを目的としている。
【課題を解決するための手段】
【０００８】
本発明によると、上記課題は、次のようにして解決される。
(１)  支持台上に形成した展示空間の周囲を透光性のパネルをもって囲むとともに、そのうちの背面側のパネルを、透視可能状態と透視不可能状態とに切換可能で、常時は透視可能状態となるようにした透過率可変パネルをもって構成し、かつ前記支持台の正面に、正面側に人が近づいたことを検知して、前記透過率可変パネルを、透視不可能状態に切換える人感センサを設ける。
【０００９】
このような構成とすると、展示ケースの正面の近くに人がいないときは、展示空間の周囲は透光性のパネルで囲まれ、四方から展示物を見ることができ、また、鑑賞者が展示ケースの正面に近づくと、人感センサが作動して、背面側の透過率可変パネルが透視不可能状態に切換えられる。
そのため、正面やその付近の鑑賞者は、背面側の照明や他の鑑賞者等に妨げられることなく、展示物を、落ち着いて鮮明に鑑賞することができる。
【００１０】
(２)  支持台上に形成した展示空間の周囲を透光性のパネルをもって囲むとともに、そのうちの正面側と背面側とのパネルを、透視可能状態と透視不可能状態とに切換可能で、常時は透視可能状態となるようにした透過率可変パネルをもって構成し、前記支持台の正面と背面とに、正面側または背面側に人が近づいたことを検知して、逆側の透過率可変パネルを、透視不可能状態に切換える人感センサを設け、かつ正面側の人感センサと背面側の人感センサとのいずれか先に作動した方のセンサの作動状態を、予め定めた時間だけ継続させるとともに、その間、他方のセンサの作動を無効とするタイマを設ける。
【００１１】
このような構成とすると、展示ケースの正面と背面のいずれの近くにも人がいないときは、展示空間の周囲は透光性のパネルで囲まれ、四方から展示物を見ることができ、鑑賞者の一人が展示ケースの正面か背面のいずれかに近づくと、その面の人感センサが作動して、逆側の透過率可変パネルが透視不可能状態に切換えられる。すなわち、正面側の人感センサが作動したときは、背面側の透過率可変パネルが透視不可能状態に切換えられ、背面側の人感センサが作動したときは、正面側の透過率可変パネルが透視不可能状態に切換えられる。
それによって、先に正面か背面のいずれかに近づいた鑑賞者は、対向面側の照明や他の鑑賞者等に妨げられることなく、展示物を、落ち着いて鮮明に鑑賞することができる。
展示ケースの正面と背面の両方から鑑賞者が相前後して近づいた場合は、先に近づいた方の人感センサのみが作動して、その反対側の透過率可変パネルが、タイマーの設定時間だけ透視不可能状態に切換えられるとともに、その間他方の人感センサの作動が無効とされる。
したがって、正面と背面とのいずれか一方の透過率可変パネルが透視不可能状態に切換えられた直後に、他方の透過率可変パネルも透視不可能状態に切換えられ、正面と背面のいずれからも展示物を鑑賞できなくなるといった不都合を解消することができる。
タイマーの設定時間経過後の制御態様については、任意に定めることができる。
【００１２】
(３)  上記(１)または(２)項において、人感センサの作動を無効として、透過率可変パネルを、透視可能状態と透視不可能状態とに切り換える手動操作スイッチを設ける。
【００１３】
このような構成とすると、手動操作スイッチにより、透過率可変パネルを、透視可能状態と透視不可能状態とに自由に切換えることができ、例えば、混雑時やその他の特別な状況等において、透過率可変パネルを長時間に亘って透視不可能状態のままとしておくことができる。
【００１４】
(４)  上記(１)〜(３)項のいずれかにおいて、透視不可能状態に切換られたときの透過率可変パネルを白色とし、これをスクリーンとして、適所に設けたプロジェクタにより、画像を投影するようにする。
【００１５】
このような構成とすると、透視不可能状態に切換られたときの透過率可変パネルをスクリーンとして利用し、これに、陳列物に関連する情報等を表示させることができる。
【００１６】
(５)  上記(４)項において、プロジェクタを、支持台内に設ける。
【００１７】
このような構成とすると、プロジェクタを目立たなくすることができる。
【００１８】
(６)  上記(１)〜(５)項のいずれかにおいて、透過率可変パネルを、１対のガラス板間に液晶パネルを挟んで構成し、前記両ガラス板の側端を、展示空間の側面を囲む他の透光性のパネルをもって封止する。
【００１９】
このような構成とすると、１対のガラス板間に挾んだ液晶パネルの側端を保護することができる。
【発明の効果】
【００２０】
本発明によると、適時に背面側が自動的に遮られることにより、背面側の照明や他の鑑賞者等に妨げられることなく、展示物を、落ち着いて鮮明に鑑賞しうるとともに、遮られた面をスクリーンとして利用して、そこに展示物に関する情報等を表示しうるようにした付加価値のある展示ケースを提供することができる。
【発明を実施するための最良の形態】
【００２１】
以下、本発明の実施形態を、添付図面を参照して説明する。  
図１は、本発明の展示ケースの第１の実施形態の斜視図である。
この展示ケースは、直方体状の支持台１の上面を載置面２として、その上に展示物３を載置し、載置面２の前縁、後縁、および左右の側縁上に、透光性のパネル４、５、６、７を立設するとともに、それらの上端に、透光性の天板８を載置して固着することにより、載置面２の上方に、透光性のパネル４〜７により周囲が囲まれ、かつ上面が天板８により閉塞された直方体状の展示空間９が形成されるようにしたものよりなっている。
【００２２】
透光性のパネル４〜７のうち、支持台１の背面側に立設されたパネル５は、透視可能状態と透視不可能状態とに切換可能とした透過率可変パネル１０をもって構成してある。
この透過率可変パネル１０は、いわゆる瞬間調光ガラスとして知られているものを用いることができる。
【００２３】
図２に示すように、この透過率可変パネル１０は、１対の透明のガラス板１１、１１間に、液晶パネル１２を挟んで構成されており、かつ両ガラス板１１、１１の側端間を、展示空間９の両側の透光性のパネル６、７をもって封止することにより、１対のガラス板１１、１１間に挾んだ液晶パネル１２の側端を保護するようにしてある。
【００２４】
液晶パネル１２の接続端子(図示略)は、液晶パネル１２の下端に設け、支持台１の載置面２より下方において、支持台１の内部に設けた制御装置１３に、リード線(図示略)をもって接続されている。
【００２５】
液晶パネル１２は、普段は液晶粒子が不規則に並んでいるため、光を拡散して、透視不可能状態となっているが、電圧が印加されると、液晶粒子が整列して、平行光を通すため、透視可能状態となるようにしたものである。
【００２６】
図１に示すように、支持台１の正面には、その正面側に人が近づいたことを検知する、例えば赤外センサ等により形成された人感センサ１４が設けられている。
【００２７】
図３に示すように、人感センサ１４は、制御装置１３に接続され、制御装置１３は、常時は液晶パネル１２に電圧を印加し、透過率可変パネル１０を透視可能状態に維持しているが、人感センサ１４が作動すると、その作動している間だけ、液晶パネル１２への電圧の印加を停止し、透過率可変パネル１０を透視不可能状態に切り換える作用をする。
【００２８】
また、制御装置１３には、人感センサ１４の作動を無効として、透過率可変パネル１０を、透視可能状態と透視不可能状態とに切り換える手動操作スイッチ１５が接続されている。
この手動操作スイッチ１５は、制御装置１３と一体に設けてもよく、または、支持台１の内外いずれかの側面等に設けてもよい。
【００２９】
図１および図３に示すように、支持台１内には、制御装置１３に接続され、透過率可変パネル１０が透視不可能状態に切り換えられているときに作動させられて、予め設定された画像を、支持台１の載置面２に設けた開口１６を通して、透視不可能状態となっている透過率可変パネル１０に投影するようにしたプロジェクタ１７が設けられている。
【００３０】
透視不可能状態となっている透過率可変パネル１０を、プロジェクタ１７のためのスクリーンとして利用するため、透過率可変パネル１０が透視不可能状態となったとき、透過率可変パネル１０が白色となるようにしてある。
【００３１】
なお、支持台１および透光性のパネル４、５、６、７は、制御装置１３やプロジェクタ１７を点検したり、展示物３を出し入れするため、その一部が開閉しうるようになっているが、その具体的な構造については、本発明に直接関係しないため、図示および説明を省略してある。
【００３２】
第１の実施形態は、上記のような構成としてあるので、展示ケースの正面の近くに人がいないときは、展示空間９の周囲は透光性のパネルで囲まれ、四方から展示物３を見ることができ、鑑賞者の一人が展示ケースの正面に近づくと、人感センサ１４が作動して、背面側の透過率可変パネル１０が透視不可能状態に切換えられる。
それによって、正面の鑑賞者は、背面側の照明や他の鑑賞者等に妨げられることなく、展示物を、落ち着いて鮮明に鑑賞することができる。
【００３３】
また、透過率可変パネル１０が透視不可能状態に切換えられるのと同時に、プロジェクタ１７が作動させられ、予め設定された画像が、支持台１の載置面２に設けた開口１６を通して、白色の透視不可能状態となっている透過率可変パネル１０に投影される。
【００３４】
したがって、正面の鑑賞者は、透過率可変パネル１０に投影された画像から、展示物３に関する情報を、適時に入手することができる。
【００３５】
さらに、手動操作スイッチ１５により、透過率可変パネル１０を、透視可能状態と透視不可能状態とに自由に切換えることができ、例えば、混雑時やその他の特別な状況等において、透過率可変パネル１０を長時間に亘って透視不可能状態のままとしておくことができる。
【００３６】
図４は、本発明の展示ケースの第２の実施形態の斜視図、図５は、その電気系統を示すブロック図である。なお、図４および図５において、第１の実施形態におけるのと同一または類似の部材には、同一または類似の符号をもって図示するに止め、それらについての詳細な説明は省略する。
【００３７】
この第２の実施形態においては、正面側と背面側とのパネル４、５を、透視可能状態と透視不可能状態とに切換可能で、常時は透視可能状態となるようにした透過率可変パネル１０ａ、１０ｂをもって構成し、かつ支持台１の正面と背面とに、正面側または背面側に人が近づいたことを検知して、逆側の透過率可変パネル１０ｂ、１０ａを、透視不可能状態に切換える人感センサ１４ａ、１４ｂを設けるとともに、制御装置１３内に、正面側の人感センサ１４ａと背面側の人感センサ１４ｂとのいずれか先に作動した方のセンサの作動状態を、予め定めた時間Ｔだけ継続させるとともに、その間、他方のセンサの作動を無効とするようにしたタイマ１８を設けてある。
【００３８】
また、人感センサ１４ａ、１４ｂのいずれが作動したときも、プロジェクタ１７が作動するようにするとともに、人感センサ１４ａが作動したときは、支持台１内に設けた切換ミラー１９を、プロジェクタ１７に予め設定された画像が、この切換ミラー１９と、反射ミラー２１と、支持台１の載置面２に設けた開口１６ａとを通る光路２０ａを介して、透視不可能状態となった背面側の透過率可変パネル１０ｂに投影されるようにした第１傾斜位置Ａに移動させ、人感センサ１４ｂが作動したときは、支持台１内に設けた切換ミラー１９を、プロジェクタ１７に予め設定された画像が、この切換ミラー１９と、反射ミラー２２と、支持台１の載置面２に設けた開口１６ｂとを通る光路２０ｂを介して、透視不可能状態となった正面側の透過率可変パネル１０ａに投影されるようにした第２傾斜位置Ｂに移動するようにしてある。
【００３９】
この切換ミラー１９の第１傾斜位置Ａおよび第２傾斜位置Ｂへの切換えは、制御装置１３に接続された電磁ソレノイド２３により行うようにしてある(図５参照)。
【００４０】
第２の実施形態においては、展示ケースの正面と背面のいずれの近くにも人がいないときは、展示空間９の周囲は透光性のパネルで囲まれ、四方から展示物３を見ることができる。
【００４１】
この状態から、鑑賞者の一人が展示ケースの正面に近づくと、第１の実施形態におけるのと同様に、正面の人感センサ１４ａが作動して、背面側の透過率可変パネル１０ｂが透視不可能状態に切換えられとともに、電磁ソレノイド２３が付勢(または消勢)されて、切換ミラー１９が第１傾斜位置Ａに切り換えられ、プロジェクタ１７から、予め設定された画像が、光路２０ａを通って、透視不可能状態となった背面側の透過率可変パネル１０ｂに投影される。
【００４２】
展示ケースの正面と背面のいずれの近くにも人がいない状態から、鑑賞者の一人が展示ケースの背面に近づくと、背面の人感センサ１４ｂが作動して、正面側の透過率可変パネル１０ａが透視不可能状態に切換えられとともに、電磁ソレノイド２３が消勢(または付勢)されて、切換ミラー１９が第２傾斜位置Ｂに切り換えられ、プロジェクタ１７から、予め設定された画像が、光路２０ｂを通って、透視不可能状態となった正面側の透過率可変パネル１０ａに投影される。
【００４３】
展示ケースの正面と背面の両方から鑑賞者が相前後して近づいた場合は、先に近づいた方の人感センサ１４ａまたは１４ｂのみが作動して、その反対側の透過率可変パネル１０ｂまたは１０ａが、タイマー１８の設定時間だけ透視不可能状態に切換えられるとともに、その間他方の人感センサ１４ｂまたは１４ａの作動が無効とされる。
【００４４】
したがって、正面と背面とのいずれか一方の透過率可変パネル１０ａまたは１０ｂが透視不可能状態に切換えられた直後に、他方の透過率可変パネル１０ｂまたは１０ａも透視不可能状態に切換えられ、正面と背面のいずれからも展示物３を鑑賞できなくなるといった不都合を解消することができる。
【００４５】
タイマー１８の設定時間Ｔ経過後の制御態様については、任意に定めることができる。
例えば、設定時間Ｔ経過後、次の設定時間Ｔの間は、それまで透視不可能状態となっていた透過率可変パネル１０ａまたは１０ｂを透視可能状態とし、かつその逆側の透過率可変パネル１０ｂまたは１０ａを透視不可能状態としたり、両人感センサ１４ａ、１４ｂが作動している間は、両透過率可変パネル１０ａ、１０ｂをともに透視可能状態のまま維持するようにすることができる。
【００４６】
本発明は、上記実施形態に限定されるもではなく、例えば、次のような変形した態様での実施が可能である。
(１)  すべてのパネル４〜７を透過率可変パネル１０により構成し、それらに対向する支持台１の側面に設けた人感センサ１４のいずれかが作動することにより、それに対応するパネル４〜７の透過率可変パネル１０、またはその人感センサ１４が設けられている面以外の３面の透過率可変パネル１０が透視不可能状態となるようにする。
(２)  図４に示すように、天板２４を、金属板等により中空箱状に形成し、その内部または外部に、プロジェクタ１７や、照明装置(図示略)等を設ける。
(３)  パネル４〜７を、全体として円筒をなすように、平面視円弧状に形成する。
【図面の簡単な説明】
【００４７】
【図１】本発明の展示ケースの第１の実施形態の斜視図である。
【図２】図１のII−II線拡大横断平面図である。
【図３】第１の実施形態の電気系統を示すブロック図である。
【図４】本発明の展示ケースの第２の実施形態の斜視図である。
【図５】第２の実施形態の電気系統を示すブロック図である。
【符号の説明】
【００４８】
１  支持台
２  載置面
３  展示物
４〜７  透光性のパネル
８  天板
９  展示空間
１０、１０ａ、１０ｂ  透過率可変パネル
１１  ガラス板
１２  液晶パネル
１３  制御装置
１４、１４ａ、１４ｂ  人感センサ
１５  手動操作スイッチ
１６、１６ａ、１６ｂ  開口
１７  プロジェクタ
１８  タイマ
１９  切換ミラー
２０ａ、２０ｂ  光路
２１、２２  反射ミラー
２３  電磁ソレノイド
２４  天板
【図１】
2010046259.tif 000003
【図２】
2010046259.tif 000004
【図３】
2010046259.tif 000005
【図４】
2010046259.tif 000006
【図５】
2010046259.tif 000007